(57)【特許請求の範囲】
【請求項１】
電動部品を有する電動手段と、音を発生させる音源手段と、前記電動手段および音源手段を制御する制御手段とを備えた情報処理装置において、
前記制御手段による電動手段動作指示および音源手段動作指示のタイミング、並びに前記電動手段および音源手段の動作状態に応じて、前記電動手段および音源手段を動作させるタイミングを決定し、そのタイミングに従って前記電動手段および音源手段を動作させるタイミング制御手段を備え、
前記タイミング制御手段は、前記電動手段および音源手段の一方の手段への動作指示に応じて、他方の手段が動作中であるかを判断し、動作中である場合は前記一方の手段を動作させ、動作中でない場合は、その後、前記制御手段により前記他方の手段への動作指示がなされるまでの時間、および待機時間の短い方の時間だけ経過した後に前記一方の手段を動作させることを特徴とする情報処理装置。
【請求項２】
電動部品を有する電動手段と、音を発生させる音源手段と、前記電動手段および音源手段を制御する制御手段とを備えた情報処理装置において、前記制御手段による電動手段動作指示および音源手段動作指示のタイミング、並びに前記電動手段および音源手段の動作状態に応じて、前記電動手段および音源手段を動作させるタイミングを決定し、そのタイミングに従って前記電動手段および音源手段を動作させるタイミング制御手段とを備えることを特徴とする情報処理装置であって、
電動手段の動作開始待機時間を記憶する第１待機時間記憶手段を更に備え、
前記タイミング制御手段は、前記制御手段による電動手段動作指示に応じて、前記音源手段が動作中であるか判断し、動作中である場合は前記電動手段を動作させ、動作中でない場合は、その後、前記制御手段により音源手段動作指示がなされるまでの時間、および前記第１待機時間記憶手段に記憶された時間の短い方の時間だけ経過後に前記電動手段を動作させることを特徴とする情報処理装置。
【請求項３】
電動部品を有する電動手段と、音を発生させる音源手段と、前記電動手段および音源手段を制御する制御手段とを備えた情報処理装置において、前記制御手段による電動手段動作指示および音源手段動作指示のタイミング、並びに前記電動手段および音源手段の動作状態に応じて、前記電動手段および音源手段を動作させるタイミングを決定し、そのタイミングに従って前記電動手段および音源手段を動作させるタイミング制御手段とを備えることを特徴とする情報処理装置であって、
音源手段の動作開始待機時間を記憶する第２待機時間記憶手段を更に備え、
前記タイミング制御手段は、前記制御手段による音源手段動作指示に応じて、前記電動手段が動作中であるか判断し、動作中である場合は前記音源手段を動作させ、動作中でない場合は、その後、前記制御手段により電動手段動作指示がなされるまでの時間、および前記第２待機時間記憶手段に記憶された時間の短い方の時間だけ経過後に前記音源手段を動作させることを特徴とする情報処理装置。
【請求項４】
前記制御手段による電動手段動作指示がなされてから、前記タイミング制御手段により電動手段の動作が開始されるまでの時間に応じて、前記第１待機時間記憶手段の記憶内容を更新する更新手段を更に備えたことを特徴とする請求項２記載の情報処理装置。
【請求項５】
前記制御手段による音源手段動作指示がなされてから、前記タイミング制御手段により音源手段の動作が開始されるまでの時間に応じて、前記第２待機時間記憶手段の記憶内容を更新する更新手段を更に備えたことを特徴とする請求項３記載の情報処理装置。
【請求項６】
電動装置の動作開始を指示するステップと、
音源装置の動作開始を指示するステップと、
電動装置の動作開始指示に応じて、音源装置が動作中であるか判断するステップと、
音源装置が動作中であれば電動装置の動作を開始するステップと、
音源装置が動作中でなければ、その後音源装置の動作が開始されるまでの時間、および所定の待機時間の短い方の時間だけ経過後、電動装置の動作を開始するステップと、
音源装置の動作開始指示に応じて、電動装置が動作中であるか判断するステップと、
電動装置が動作中であれば音源装置の動作を開始するステップと、
電動装置が動作中でなければ、その後電動装置の動作が開始されるまでの時間、および所定の待機時間の短い方の時間だけ経過後、音源装置の動作を開始するステップとからなることを特徴とする情報処理装置の制御方法。
【請求項７】
モータを有する電動手段と、音を発生させる音源手段とを備えたコンピュータに、
電動手段への動作指示および音源手段への動作指示のタイミング、並びに前記電動手段および音源手段の動作状態に応じて、前記電動手段および音源手段を動作させるタイミングを決定し、そのタイミングに従って前記電動手段および音源手段を動作させるタイミング制御処理を行わせ、
前記タイミング制御処理は、前記電動手段および音源手段の一方の手段への動作指示に応じて、他方の手段が動作中であるかを判断し、動作中である場合は前記一方の手段を動作させ、動作中でない場合は、その後、前記制御手段により前記他方の手段への動作指示がなされるまでの時間、および待機時間の短い方の時間だけ経過した後に前記一方の手段を動作させることを特徴とする情報処理プログラムを記憶した情報記録媒体。
【発明の詳細な説明】
【０００１】
【発明の属する技術分野】
本発明は、モータなどの電動装置および音源装置を備えた情報処理装置、および情報処理装置の制御方法、ならびに情報処理プログラムを記憶した情報記録媒体に関する。
【０００２】
【従来の技術】
従来から、情報処理装置におけるフロッピーディスク装置やＣＤ−ＲＯＭ装置など、モータやソレノイド等の電動部品を備える電動装置の動作時には、その動作音が発生していた。また、情報処理装置の操作時において、警告時などの情報発信時には音源装置より発信音を鳴らしていた。
【０００３】
このように、従来の情報処理装置においてはエラー警告音やモータの動作音などの各種発生音は、情報処理装置の処理状況により、互いに関連すること無く随時発生していた。
【０００４】
また特開平５−２８２１２９号公報には、タイマーと音量調整装置を設けることにより、警告音の鳴動を開始してから一定時間経過後に音量を下げるようにして不快感を抑える方法が記載されている。
【０００５】
【発明が解決しようとする課題】
上記のように、従来の情報処理装置においてはエラー警告音やモータの動作音などの各種発生音は、情報処理装置の処理状況により、互いに関連すること無く随時発生していたため、警告音の鳴っていない静かな時にモータ動作音などの音が発生するなど、何らかの形で音の発生する時間が多く、利用者に対して不快感を与えるなどの課題があった。
【０００６】
前記特開平５−２８２１２９号公報に記載の技術では、警告音を鳴動させる際に、他の動作音が発生する装置の動作状態を考慮していないため、上記のような課題は解決することはできなかった。
【０００７】
本発明は、上記課題を解決するためになされたもので、その目的とするところは、エラー警告音などを発生させる音源装置と、モータ動作音などを発生させる電動装置の動作タイミングを制御し、それぞれの音が単独で発生している時間を減らし、これにより全体の音発生時間を減少させるようにして利用者に対する不快感を低減する情報処理装置、および情報処理装置の制御方法、ならびに情報処理プログラムを記憶した情報記録媒体を提供することである。
【０００８】
【課題を解決するための手段】
本発明に係る情報処理装置は、電動部品を有する電動手段と、音を発生させる音源手段と、前記電動手段および音源手段を制御する制御手段と、前記制御手段による電動手段動作指示および音源手段動作指示のタイミング、並びに前記電動手段および音源手段の動作状態に応じて、前記電動手段および音源手段を動作させるタイミングを決定し、そのタイミングに従って前記電動手段および音源手段を動作させるタイミング制御手段と、を備え、前記タイミング制御手段は、前記電動手段および音源手段の一方の手段への動作指示に応じて、他方の手段が動作中であるかを判断し、動作中である場合は前記一方の手段を動作させ、動作中でない場合は、その後、前記制御手段により前記他方の手段への動作指示がなされるまでの時間、および待機時間の短い方の時間だけ経過した後に前記一方の手段を動作させることを特徴とする。
【０００９】
また、本発明に係る情報処理装置は、電動部品を有する電動手段と、音を発生させる音源手段と、前記電動手段および音源手段を制御する制御手段と、前記制御手段による電動手段動作指示および音源手段動作指示のタイミング、並びに前記電動手段および音源手段の動作状態に応じて、前記電動手段および音源手段を動作させるタイミングを決定し、そのタイミングに従って前記電動手段および音源手段を動作させるタイミング制御手段とを備え、電動手段の動作開始待機時間を記憶する第１待機時間記憶手段を更に備え、前記タイミング制御手段は、前記制御手段による電動手段動作指示に応じて、前記音源手段が動作中であるか判断し、動作中である場合は前記電動手段を動作させ、動作中でない場合は、その後、前記制御手段により音源手段動作指示がなされるまでの時間、および前記第１待機時間記憶手段に記憶された時間の短い方の時間だけ経過後に前記電動手段を動作させることを特徴とする。
【００１０】
また、本発明に係る情報処理装置は、電動部品を有する電動手段と、音を発生させる音源手段と、前記電動手段および音源手段を制御する制御手段とを備えた情報処理装置において、前記制御手段による電動手段動作指示および音源手段動作指示のタイミング、並びに前記電動手段および音源手段の動作状態に応じて、前記電動手段および音源手段を動作させるタイミングを決定し、そのタイミングに従って前記電動手段および音源手段を動作させるタイミング制御手段とを備え、音源手段の動作開始待機時間を記憶する第２待機時間記憶手段を更に備え、前記タイミング制御手段は、前記制御手段による音源手段動作指示に応じて、前記電動手段が動作中であるか判断し、動作中である場合は前記音源手段を動作させ、動作中でない場合は、その後、前記制御手段により電動手段動作指示がなされるまでの時間、および前記第２待機時間記憶手段に記憶された時間の短い方の時間だけ経過後に前記音源手段を動作させることを特徴とする。
【００１１】
また、本発明に係る情報処理装置は、前記制御手段による電動手段動作指示がなされてから、前記タイミング制御手段により電動手段の動作が開始されるまでの時間に応じて、前記第１待機時間記憶手段の記憶内容を更新する更新手段を更に備えたことを特徴とする。
【００１２】
また、本発明に係る情報処理装置は、前記制御手段による音源手段動作指示がなされてから、前記タイミング制御手段により音源手段の動作が開始されるまでの時間に応じて、前記第２待機時間記憶手段の記憶内容を更新する更新手段を更に備えたことを特徴とする。
【００１３】
また、本発明に係る情報処理装置の制御方法は、電動装置の動作開始を指示するステップと、音源装置の動作開始を指示するステップと、電動装置の動作開始指示に応じて、音源装置が動作中であるか判断するステップと、音源装置が動作中であれば電動装置の動作を開始するステップと、音源装置が動作中でなければ、その後音源装置の動作が開始されるまでの時間および所定の待機時間の短い方の時間だけ経過後、電動装置の動作を開始するステップと、音源装置の動作開始指示に応じて、電動装置が動作中であるか判断するステップと、電動装置が動作中であれば音源装置の動作を開始するステップと、電動装置が動作中でなければ、その後電動装置の動作が開始されるまでの時間および所定の待機時間の短い方の時間だけ経過後、音源装置の動作を開始するステップとからなることを特徴とする。
【００１４】
また、本発明に係る情報処理プログラムを記憶した情報記録媒体は、モータを有する電動手段と、音を発生させる音源手段とを備えたコンピュータに、電動手段への動作指示および音源手段への動作指示のタイミング、並びに前記電動手段および音源手段の動作状態に応じて、前記電動手段および音源手段を動作させるタイミングを決定し、そのタイミングに従って前記電動手段および音源手段を動作させるタイミング制御処理を行わせ、
前記タイミング制御処理は、前記電動手段および音源手段の一方の手段への動作指示に応じて、他方の手段が動作中であるかを判断し、動作中である場合は前記一方の手段を動作させ、動作中でない場合は、その後、前記制御手段により前記他方の手段への動作指示がなされるまでの時間、および待機時間の短い方の時間だけ経過した後に前記一方の手段を動作させることを特徴とする情報処理プログラムを記憶したことを特徴とする。
【００１５】
【発明の実施の形態】
以下に、本発明における情報処理装置の実施形態について図面を用いてその一実施例を説明する。
【００１６】
図１は本発明における情報処理装置の構成の一例を示したブロック図である。本実施例では、電動装置として情報記録媒体から情報を読み取る情報読取装置を用いるものとする。図1によると、本情報処理装置は、情報処理プログラムや演算結果を格納するメモリ９、メモリ９に格納されている情報処理プログラムに基づいて演算処理を行い、その結果を各部へ伝える中央演算装置７、モータ６を内蔵する情報読取装置５、情報発信時に音を鳴らすための音源装置８、利用者が情報読取装置５や音源装置８の動作条件を入力するための入力装置１、情報読取装置５や音源装置８の動作時間を計測するタイミング計測装置２、情報読取装置５および音源装置８の過去の動作時の動作要求発生から動作処理開始までの時間の履歴情報が格納されており、タイミング計測装置２から送られる情報と過去の動作履歴に基づいて情報読取装置５および音源装置８の次の動作条件を算出するタイミング算出装置３、入力装置１およびタイミング算出装置３からの情報、ならびに中央演算装置７の演算結果に基づいて情報読取装置５および音源装置８の動作タイミングを制御するタイミング制御装置４を備えている。
【００１７】
また上記情報読取装置５には情報記録媒体１０が着脱可能に接続される。情報記録媒体１０は、磁気テープやカセットテープ等のテープ系、あるいはフロッピーディスクやハードディスク等の磁気ディスクやＣＤ−ＲＯＭ／ＤＶＤ等の光ディスクのディスク系であってもよい。
【００１８】
情報記録媒体１０には中央演算装置７で実行される情報処理プログラムが記憶されており、所定のタイミングで読み取られてメモリ９に記憶される。
【００１９】
なお、タイミング計測装置２、タイミング算出装置３、およびタイミング制御装置４は個別の装置ではなく、中央演算装置７とメモリ９の所定の領域に記憶された情報処理プログラムおよびデータとで実現させても良い。この場合情報記録媒体１０には上記の各々を実現させるための情報処理プログラム（タイミング計測プログラム、タイミング算出プログラム、タイミング制御プログラム、およびデータ）が記憶されている。
【００２０】
利用者が入力装置１から入力した動作条件はタイミング制御装置４に記録される。中央演算装置７において情報読取装置５あるいは音源装置８を動作させる必要が出てきた時、中央演算装置７からタイミング制御装置４に動作命令が送られる。タイミング制御装置４において動作条件に当てはまるか否かを判断し、動作条件に当てはまる場合は情報読取装置５あるいは音源装置８を動作させる。動作条件に当てはまらない場合は動作させない。動作要求が発生してから情報読取装置５ならびに音源装置８が動作した時点までの時間がタイミング計測装置２によって計測され、タイミング算出装置３によって新たな動作条件を計算する。
【００２１】
図２は、本情報処理装置の処理を示したメインのフローチャートである。
【００２２】
利用者はまず入力装置１によって情報読取装置５や音源装置８の動作条件を入力する（ステップＳ１）。ここで入力される動作条件としては、例えば情報読取装置５の動作要求がなされた際に、音源装置８が動作状態でなかった場合にどれだけの時間待機するかという情報（情報読取装置待機時間）と、音源装置８の動作要求がなされた際に、情報読取装置５が動作状態でなかった場合にどれだけの時間待機するかという情報（音源装置待機時間）である。利用者が特に特定の条件を入力しなかった場合はあらかじめ定められた標準の動作条件（例えば５００ミリ秒）が自動的に入力される。
【００２３】
入力された動作条件（情報読取装置待機時間および音源装置待機時間）はタイミング制御装置４に送られ、タイミング制御装置４内に記憶され（ステップＳ２）、動作要求を待機する状態になる（ステップＳ３）。
【００２４】
中央演算装置７内において情報読取装置５または音源装置８を動作させるイベントが発生すると、タイミング制御装置４に動作要求が送られる（ステップＳ４）。
【００２５】
タイミング制御装置４において、現在の時点で動作条件に当てはまるかどうかを判断（ステップＳ５）し、判断結果によって情報読取装置５あるいは音源装置８を動作させる（ステップＳ６）。
【００２６】
ステップＳ５の詳細な説明は後述するが、その動作例の概略を次に説明する。例えば、上記例に示す動作条件が入力され、タイミング制御装置４において設定されているとき、中央演算装置７内において情報読取装置５を動作させるイベントが発生した場合、情報読取装置５への動作要求がタイミング制御装置４に送られる。このとき、音源装置８への動作要求が同時にタイミング制御装置４へ送られた場合、動作条件に当てはまるのでタイミング制御装置４によって情報読取装置５ならびに音源装置８を動作させる。音源装置８への動作要求が同時にタイミング制御装置４へ送られなかった場合、５００ミリ秒（情報読取装置待機時間）だけ待ち、その間に音源装置８の動作要求があった場合は情報読取装置５と音源装置８を同時に動作させ、動作要求がなかった場合は情報読取装置５のみ動作させる。
【００２７】
情報読取装置５ならびに音源装置８の動作開始処理が完了すると、動作要求が発生（ステップＳ４）してから実際に動作処理が行われ始める（ステップＳ６）までの時間がタイミング計測装置２によって計測され、上記計測時間情報がタイミング算出装置３に送られる。タイミング算出装置３には情報読取装置５ならびに音源装置８の過去の動作時の動作要求から動作処理完了までの時間の履歴情報が格納されており、上記履歴情報と、上記計測時間情報を元に新たな動作条件に更新する（ステップＳ７）。新たに設定された動作条件はタイミング制御装置４に送られ、動作条件が再設定される（ステップＳ２）。
【００２８】
ステップＳ７の詳細な説明は後述するが、その動作例の概略を次に説明する。上記例で、例えば情報読取装置５への動作要求の１００ミリ秒後に音源装置８への動作要求があり、情報読取装置５ならびに音源装置８が動作した場合、情報読取装置５への動作要求から情報読取装置５ならびに音源装置８の動作開始までの時間１００ミリ秒がタイミング計測装置２で計測され、タイミング算出装置３に格納されている情報読取装置５の動作時間の履歴情報と今回計測された時間から新たな動作条件（情報読取装置待機時間）をタイミング算出装置３において設定し、タイミング制御装置４に送る。
【００２９】
図３は、動作条件判定処理の詳細を示したフローチャートである。つまり、上記図２のステップＳ５での詳細な動作を示したフローチャートである。
【００３０】
図２のステップＳ４で動作要求が発生してタイミング制御装置４に送られると、その動作要求が情報読取装置５への動作要求か否かを判断する（ステップＳ５１）。
【００３１】
情報読取装置５への動作要求である場合、この時点で音源装置８が動作中かどうか判断（ステップＳ５２）し、音源装置８が動作中の場合、情報読取装置５を動作させる処理（図２のステップＳ６）に移る。
【００３２】
音源装置８が動作中でない場合、動作要求からの時間を調べ、タイミング制御装置４に記憶されている情報読取装置待機時間（上記例では５００ミリ秒）が経過しているかどうかを判断（ステップＳ５３）し、すでに設定された時間（５００ミリ秒）を経過している場合、情報読取装置５のみを動作させる処理（図２のステップＳ６）に移る。
【００３３】
時間が経過していない場合、音源装置８への動作要求があるか否かを判断（ステップＳ５４）し、動作要求がある場合、情報読取装置５および音源装置８の動作処理（図２のステップＳ６）に移り、動作要求がない場合、ステップＳ５３に戻る。
【００３４】
一方、ステップＳ５１で動作要求が情報読取装置５へのものでなかった場合、動作要求が音源装置８へのものかを判断する（ステップＳ５５）。音源装置８への動作要求でない場合、情報読取装置５および音源装置８以外の装置への動作要求であるため、該装置を動作させる処理（図２のステップＳ６）に移る。
【００３５】
音源装置８への動作要求である場合、この時点で情報読取装置５が動作中かどうか判断（ステップＳ５６）し、情報読取装置５が動作中の場合、音源装置８を動作させる処理（図２のステップＳ６）に移る。
【００３６】
情報読取装置５が動作中でない場合、動作要求からの時間を調べ、タイミング制御装置４に記憶されている音源装置待機時間（上記例では５００ミリ秒）が経過しているかどうかを判断（ステップＳ５７）し、すでに設定された時間（５００ミリ秒）を経過している場合、音源装置８のみを動作させる処理（図２のステップＳ６）に移る。
【００３７】
時間が経過していない場合、情報読取装置５への動作要求があるか否かを判断（ステップＳ５８）し、動作要求がある場合、情報読取装置５および音源装置８の動作処理（図２のステップＳ６）に移る。動作要求がない場合、ステップＳ５７に戻る。
【００３８】
図４は、動作条件更新処理の詳細を示したフローチャートである。つまり、上記図２のステップＳ７での詳細な動作を示したフローチャートである。本実施例では一例として、動作要求から動作処理開始までにかかった時間と、過去の動作時に動作要求から動作処理開始までかかった時間との平均を取る方法を示している。
【００３９】
図５は過去に情報読取装置５が動作したときの動作要求から動作処理までにかかった時間の履歴情報（情報読取装置履歴情報）の一例である。上記情報読取装置履歴情報はタイミング算出装置３に格納されている。図５の例では、過去１０回分の履歴情報として、動作履歴ナンバー５−１、処理完了時刻５−２、所要時間５−３（動作要求発生から動作処理開始までかかった時間）が格納されている。
【００４０】
なお図示しないが、過去に音源装置８が動作したときの動作要求から動作処理までにかかった時間の履歴情報（音源装置履歴情報）も図５と同様の形式で別途タイミング算出装置３に格納されている。
【００４１】
図２のステップＳ４において情報読取装置５の動作要求が発生してからステップＳ６において情報読取装置５の動作処理が始まるまでの時間がタイミング計測装置２によって計測され、上記計測時間がタイミング算出装置３に送られる（ステップＳ７１）。ただしこの際、図２のステップＳ４で動作要求が発生してから、動作条件で設定した時間（情報読取装置待機時間）内に音源装置８への動作要求がなかった場合（すなわち図３のステップＳ５３でＹｅｓと判断されたとき）は計測された時間に特定の数値（例えば１００ミリ秒）を加えたものをタイミング算出装置３に送る。
【００４２】
次いで、タイミング算出装置３に格納されている情報読取装置５の過去１０回の処理時間（情報読取装置履歴情報）と今回の処理時間の平均を計算する（ステップＳ７２）。図５の例では、過去１０回の処理時間の合計に今回の処理時間を加え、その合計を１１で割ったものが平均となる。図５の例で、新たに計測された動作要求から動作処理までの処理時間が１７０ミリ秒であったとすると、過去１０回の処理時間の合計が５０００ミリ秒であるため、（５０００＋１７０）÷１１により平均は４７０ミリ秒となる。
【００４３】
上記の計算の後、タイミング算出装置３に格納されている情報読取装置５の過去の処理時間の情報（情報読取装置履歴情報）のうち、一番古いものを削除（ステップＳ７３）し、今回の処理時間の情報をタイミング算出装置３に格納する（ステップＳ７４）。図５の例では動作履歴Ｎｏ．１０２４が削除され、新たに１７０ミリ秒という情報が動作履歴Ｎｏ．１０３４として格納される。ステップＳ７２で計算された平均時間（上記の例では４７０ミリ秒）は新たな動作条件（情報読取装置待機時間）としてタイミング制御装置４に送られる（ステップＳ２）。
【００４４】
なお、上記は図２のステップＳ４において情報読取装置５の動作要求が発生した場合（情報読取装置の動作条件更新処理）の説明であるが、音源装置８の動作要求が発生した場合も同様に図４で示したフローチャートに従って音源装置の動作条件更新処理が行われる。すなわち、図２のステップＳ４において音源装置８の動作要求が発生してからステップＳ６において音源装置８の動作処理が始まるまでの時間がタイミング計測装置２によって計測され、上記計測時間がタイミング算出装置３に送られる（ステップＳ７１）。ただしこの際、図２のステップＳ４で動作要求が発生してから、動作条件で設定した時間（音源装置待機時間）内に情報読取装置５への動作要求がなかった場合（すなわち図３のステップＳ５７でＹｅｓと判断されたとき）は計測された時間に特定の数値（例えば１００ミリ秒）を加えたものをタイミング算出装置３に送る。
【００４５】
次いで、タイミング算出装置３に格納されている音源装置８の過去１０回の処理時間（音源装置履歴情報）と今回の処理時間の平均を計算する（ステップＳ７２）。
【００４６】
上記の計算の後、タイミング算出装置３に格納されている音源装置８の過去の処理時間の情報（音源装置履歴情報）のうち、一番古いものを削除（ステップＳ７３）し、今回の処理時間の情報をタイミング算出装置３に格納する（ステップＳ７４）。ステップＳ７２で計算された平均時間は新たな動作条件（音源装置待機時間）としてタイミング制御装置４に送られる（ステップＳ２）。
【００４７】
なお、図２のステップＳ４において情報読取装置５の動作要求が発生し、かつ図３のステップＳ５４において音源装置８の動作要求が発生した場合には、図２のステップＳ７において情報読取装置５の動作条件更新処理および音源装置８の動作条件更新処理を実行する。この場合、音源装置８の今回の処理時間は０ミリ秒として計算する。
【００４８】
また、図２のステップＳ４において音源装置８の動作要求が発生し、かつ図３のステップＳ５８において情報読取装置５の動作要求が発生した場合には、図２のステップＳ７において情報読取装置５の動作条件更新処理および音源装置８の動作条件更新処理を実行する。この場合、情報読取装置５の今回の処理時間は０ミリ秒として計算する。
【００４９】
以上、ここまで挙げた実施形態における内容は、本発明の主旨を変えない限り、上記記載内容に限定されるものではない。
【００５０】
【発明の効果】
本発明における情報処理装置では、以下の効果が得られる。
本発明の情報処理装置は、タイミング制御手段によって電動手段と音源手段の動作するタイミングを調節することができるため、電動手段の動作音と音源手段で音を鳴らす時間を合わせることができ、音の発生する時間を減らすことができる。このため、利用時の不快感を軽減することができる。
【００５１】
また、本発明の情報処理装置は、タイミング制御手段の動作条件（待機時間）を、動作要求発生から動作処理開始までかかった時間の情報を元に再設定する。これにより、本情報処理装置を動作させるほど動作条件が改善される。
【００５２】
また、本発明の情報処理装置の制御方法は、電動装置と音源装置の動作するタイミングを調節することができるため、電動装置の動作音と音源装置で音を鳴らす時間を合わせることができ、音の発生する時間を減らすことができる。このため、利用時の不快感を軽減することができる。
【００５３】
また、本発明の情報記録媒体は、モータを有する電動手段と、音を発生させる音源手段とを備えたコンピュータに読み込ませることにより、電動手段と音源手段の動作するタイミングを調節することができるため、電動手段の動作音と音源手段で音を鳴らす時間を合わせることができ、音の発生する時間を減らすことができる。このため、利用時の不快感を軽減することができる。
【図面の簡単な説明】
【図１】本発明の情報処理装置における機能ブロック図である。
【図２】本発明の情報処理装置における動作を示すメインのフローチャートである。
【図３】本発明の情報処理装置における動作条件判定処理を示すフローチャートである。
【図４】本発明の情報処理装置における動作条件更新処理を示すフローチャートである。
【図５】本発明の情報処理装置における動作履歴の記憶例を示す説明図である。
【符号の説明】
１    入力装置
２    タイミング計測装置
３    タイミング算出装置
４    タイミング制御装置
５    情報読取装置
６    モータ
７    中央演算装置
８    音源装置
９    メモリ
１０  情報記録媒体
【図１】
0004083943.tif 000002
【図２】
0004083943.tif 000003
【図３】
0004083943.tif 000004
【図４】
0004083943.tif 000005
【図５】
0004083943.tif 000006